【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
（Ｉ）化学結合した親水性基、および分散体の不揮発性画分に基づいて０〜０．５３ｍｍｏｌ／ｇのツェレビチノフ活性水素原子を含有する基を含有する、少なくとも一つのポリウレタン（Ａ）と、
（II）少なくとも一つのポリイソシアネート（Ｂ）（ここでＮＣＯ基は、可逆的にブロックされており、そして親水性基を含有しない。）と、
（III）水
を含んでなり、
成分（Ａ）と（Ｂ）の割合は、ブロックトイソシアネート含量が０．０１ｍｏｌ／１００ｇ樹脂固体と１．０ｍｏｌ／１００ｇ樹脂固体の間となるようなものである、水性一成分（１Ｋ）被覆系。
【請求項２】
ポリウレタン（Ａ）は、
Ａ１）ポリイソシアネートと、
Ａ２）４００〜８０００の平均分子量を有する、ポリマーのポリオールおよび／またはポリアミンと、
Ａ３）必要に応じて、４００までの分子量を有する、モノ-もしくはポリアルコールまたはモノ-もしくはポリアミンあるいはアミノアルコールと、
Ａ４）少なくとも一つのイオン性または潜在的イオン性基を有する化合物および／または
Ａ５）非イオン的親水性化化合物
から選択される少なくとも一つの化合物と
の反応生成物であることを特徴とする、請求項１に記載の水性（１Ｋ）被覆系。
【請求項３】
ポリイソシアネート（Ｂ）は、
（Ｂ１）親水性基を含有しない、脂肪族的に、脂環族的に、芳香脂肪族的におよび／または芳香族的に結合したイソシアネート基を有する、少なくとも一つのポリイソシアネートを、
（Ｂ２）少なくとも一つのブロッキング剤
と反応させることにより製造されたものであることを特徴とする、請求項１または２に記載の水性（１Ｋ）被覆系。
【請求項４】
イソシアネート基のためのブロッキング剤は、一般式（IV）：
【化１】
2006519276.tif 000001
〔式中、
Ｒ１は、化学結合した親水性基を含有しない、各々１〜１２個の炭素原子を有する、一以上の脂肪族（脂環族）炭化水素基に対応し、および
ｎは、０〜３の整数であり得る。〕
で示されるピラゾール誘導体であることを特徴とする、請求項３に記載の水性（１Ｋ）被覆系。
【請求項５】
請求項１に記載の（１Ｋ）被覆系を含んでなる被覆組成物を被覆した基材。
【請求項６】
ガラス繊維サイズ剤における、請求項１に記載の（１Ｋ）被覆系の使用。
【手続補正２】
【補正対象書類名】明細書
【補正対象項目名】００２３
【補正方法】変更
【補正の内容】
【００２３】
適当なヒドロキシル含有ポリカーボネートは、炭酸誘導体（例えば、炭酸ジフェニル、炭酸ジメチルまたはホスゲン）を、ジオールと反応させることによって得られ得る。適当なこのようなジオールとしては、例えば、エチレングリコール、１,２-および１,３-プロパンジオール、１,３-および１,４-ブタンジオール、１,６-ヘキサンジオール、１,８-オクタンジオール、ネオペンチルグリコール、１,４-ビスヒドロキシメチルシクロヘキサン、２-メチル-１,３-プロパンジオール、２,２,４-トリ-メチルペンタン-１,３-ジオール、ジプロピレングリコール、ポリプロピレングリコール、ジブチレングリコール、ポリブチレングリコール、ビスフェノールＡ、テトラブロモビスフェノールＡであり、また、ラクトン改変ジオールも含む。ジオール成分は、好適には、４０〜１００重量％のヘキサンジオール、好適には１,６-ヘキサンジオールおよび／またはヘキサンジオール誘導体、好適には末端ＯＨ基に加えて、エーテル基またはエステル基を含有するもの、例えば、独国特許公開DE-A 17 70 245にしたがって１ｍｏｌのヘキサンジオールを、１ｍｏｌ（好適には１〜２ｍｏｌ）の少なくとも一つのカプロラクトンと反応させることによって、またはヘキサンジオール自身をエーテル化してジ-またはトリヘキシレングリコールを得ることによって、得られた生成物を含有する。このような誘導体の製造は、例えば、独国特許公開DE-A 15 70 540から既知である。また、独国特許公開DE-A 37 17 060に記載されたポリエーテル-ポリカーボネートジオールを使用することもできる。
【手続補正３】
【補正対象書類名】明細書
【補正対象項目名】００３３
【補正方法】変更
【補正の内容】
【００３３】
ｄ）ジアミンおよびポリアミン、例えば、１,２-ジアミノエタン、１,３-ジアミノプロパン、１,６-ジアミノヘキサン、１,３-および１,４-フェニレンジアミン、４,４’-ジフェニルメタンジアミン、イソホロンジアミン、２,２,４-および２,４,４-トリメチルヘキサメチレンジアミンの異性体混合物、２-メチルペンタメチレンジアミン、ジエチレントリアミン、１,３-および１,４-キシリレンジアミン、α,α,α’,α’-テトラメチル-１,３-および-１,４-キシリレンジアミン、４,４-ジアミノジシクロヘキシルメタン、アミノ官能性ポリエチレンオキシドまたはポリプロピレンオキシド（これらは、商品名Jeffamin（登録商標）、Ｄシリーズ（Huntsman Corp. Europe、ベルギー）のもと入手可能）、ジエチレントリアミンおよびトリエチレンテトラミンである。また、本発明において、ジアミンとして適当なものは、ヒドラジン、ヒドラジン水和物および置換ヒドラジン（例えば、Ｎ-メチルヒドラジン、Ｎ,Ｎ’-ジメチルヒドラジンおよびそれらの類似体）、ならびに酸ジヒドラジド、アジピン酸、β-メチルアジピン酸、セバシン酸、ヒドロアクリル酸およびテレフタル酸、セミカルバジド-アルキレンヒドラジド、例えば、β-セミカルバジドプロピオン酸ヒドラジド（例えば、独国特許公開DE-A 17 70 591に記載）、セミカルバジドアルキレン-カルバジンエステル（例えば、２-セミカルバジドエチルカルバジンエステル（例えば、独国特許公開DE-A 19 18 504に記載）、あるいはアミノセミカルバジド化合物（例えば、β-アミノエチルセミカルバジドカーボネート（例えば、独国特許公開DE-A 19 02 931に記載））である。
【手続補正４】
【補正対象書類名】明細書
【補正対象項目名】００３８
【補正方法】変更
【補正の内容】
【００３８】
〔式中、
Ｒ１およびＲ２は、互いに独立して、各々、酸素および／または窒素原子が割り込まれていてもよい、１〜１８個の炭素原子を有する、二価の脂肪族、脂環族または芳香族の基であり、および
Ｒ３は、アルコキシ末端ポリエチレンオキシド基である。〕
で示される化合物が適当である。
【手続補正５】
【補正対象書類名】明細書
【補正対象項目名】００９７
【補正方法】変更
【補正の内容】
【００９７】
表１の結果は、本発明の分散体は、先行技術の結合剤-架橋剤混合物に匹敵する機械的性質（引張強さおよび伸び性）を有すると同時に、先行技術の結合剤-架橋剤混合物よりも、耐加水分解性、耐水性および粘着（特に湿粘着）に関して、著しく優れていることを示す。
本発明の好適な実施態様には、以下のものが含まれる。
〔１〕  （Ｉ）化学結合した親水性基、および分散体の不揮発性画分に基づいて０〜０．５３ｍｍｏｌ／ｇのツェレビチノフ活性水素原子を含有する基を含有する、少なくとも一つのポリウレタン（Ａ）と、
（II）少なくとも一つのポリイソシアネート（Ｂ）（ここでＮＣＯ基は、可逆的にブロックされており、そして親水性基を含有しない。）と、
（III）水
を含んでなり、
成分（Ａ）と（Ｂ）の割合は、ブロックトイソシアネート含量が０．０１ｍｏｌ／１００ｇ樹脂固体と１．０ｍｏｌ／１００ｇ樹脂固体の間となるようなものである、水性一成分（１Ｋ）被覆系。
〔２〕  ポリウレタン（Ａ）は、
Ａ１）ポリイソシアネートと、
Ａ２）４００〜８０００の平均分子量を有する、ポリマーのポリオールおよび／またはポリアミンと、
Ａ３）必要に応じて、４００までの分子量を有する、モノ-もしくはポリアルコールまたはモノ-もしくはポリアミンあるいはアミノアルコールと、
Ａ４）少なくとも一つのイオン性または潜在的イオン性基を有する化合物および／または
Ａ５）非イオン的親水性化化合物
から選択される少なくとも一つの化合物と
の反応生成物であることを特徴とする、上記〔１〕に記載の水性（１Ｋ）被覆系。
〔３〕  ポリウレタン（Ａ）は、構成単位として、非イオン性（Ａ４）およびイオン性（Ａ５）親水性化剤の組合せを含むことを特徴とする、上記〔１〕または〔２〕に記載の水性（１Ｋ）被覆系。
〔４〕  ポリイソシアネート（Ｂ）は、
（Ｂ１）親水性基を含有しない、脂肪族的に、脂環族的に、芳香脂肪族的におよび／または芳香族的に結合したイソシアネート基を有する、少なくとも一つのポリイソシアネートを、
（Ｂ２）少なくとも一つのブロッキング剤
と反応させることにより製造されたものであることを特徴とする、上記〔１〕〜〔３〕のいずれかに記載の水性（１Ｋ）被覆系。
〔５〕  イソシアネート基のためのブロッキング剤は、一般式（IV）：
〔化１〕
2006519276.tif 000002
〔式中、
Ｒ１は、化学結合した親水性基を含有しない、各々１〜１２個の炭素原子を有する、一以上の脂肪族（脂環族）炭化水素基に対応し、および
ｎは、０〜３、好適には１または２の整数であり得る。〕
で示されるピラゾール誘導体であることを特徴とする、上記〔４〕に記載の水性（１Ｋ）被覆系。
〔６〕  ブロッキング剤は、３,５-ジメチルピラゾールまたは３-メチルピラゾールであることを特徴とする、上記〔４〕または〔５〕に記載の水性（１Ｋ）被覆系。
〔７〕  成分（Ｂ）を、分散前にポリウレタン（Ａ）に混合することを特徴とする、上記〔１〕に記載の水性（１Ｋ）被覆系の製造方法。
〔８〕  上記〔１〕に記載の水性（１Ｋ）被覆系を基材に塗布し、水を少なくとも部分的に除去し、次いで、熱硬化を行うことを特徴とする、被覆物の製造方法。
〔９〕  基材は、ガラス繊維または炭素繊維であることを特徴とする、上記〔８〕に記載の被覆物の製造方法。
〔１０〕  上記〔１〕に記載の（１Ｋ）被覆系を含んでなる被覆組成物を被覆した基材。
〔１１〕  ガラス繊維サイズ剤における、上記〔１〕に記載の（１Ｋ）被覆系の使用。